(57)【要約】【課題】フードの内部に付着した内容液の固まりを指等で簡単に取り除いて清掃することができ、内容液を常に真下に導いて吐出させることができるポンプ用ノズルを提供する。【解決手段】フード３３を一体に備えたポンプ用ノズル３０において、ノズル本体３１の先端３１ａにポンプが吸い上げた内容液を真下に向けて吐出させる吐出口３２を備えると共に、吐出口３２は下方に向き、フード３３の吐出口３２を取り囲み下端開口３３ｂが吐出口３２よりも下方に位置しており、かつ前記ポンプ側に切欠き３３ｃを形成した。【選択図】図１
2015081130.tif 000002
【特許請求の範囲】
【請求項１】
フードを一体に備えたポンプ用ノズルにおいて、
ノズル本体の先端にポンプが吸い上げた内容液を真下に向けて吐出させる吐出口を備えると共に、該吐出口は下方に向き、前記フードは該吐出口を取り囲み下端開口が該吐出口よりも下方に位置しており、かつ前記ポンプ側に切欠きを形成したポンプ用ノズル。
【請求項２】
前記吐出口の下端を前記フードの上端から離れるように下方に延出した請求項１記載のポンプ用ノズル。
【請求項３】
前記ノズル本体と前記フードのうち少なくともフードを半透明或いは透明に形成した請求項１又は２記載のポンプ用ノズル。
【請求項４】
内容液がエタノールを７０〜８０重量％含有し、内容液の２５℃における粘度が2000〜5000ｍＰａ・ｓである請求項１〜３のいずれか１項に記載のポンプ用ノズル。
【請求項５】
内容液を収容する容器本体と、この容器本体の口筒部に着脱自在に取り付けるポンプと、このポンプに着脱自在に取り付ける請求項１〜４のいずれか１項に記載のポンプ用ノズルとを備えたノズル付き容器。
【請求項６】
フードを一体に備えたポンプ用ノズルにおいて、
ノズル本体の先端にポンプが吸い上げた内容液を真下に向けて吐出させる吐出口を備えると共に、該吐出口は下方に向き、該吐出口を取り囲み下端開口が該吐出口よりも下方に位置するように真下に向いた前記フードを備え、
前記フードは、下端側が、ノズル本体側より開口面に向けて面積が吐出方向に向かって徐々に大きくなる形状であり、前記吐出口の下端を前記フードの上端から離れるように下方に延出したポンプ用ノズル。
【発明の詳細な説明】
【技術分野】
【０００１】
本発明は、ポンプ用ノズル及び内容液を収納するノズル付き容器に関する。
【背景技術】
【０００２】
液状内容物を取り出す容器あるいは装置に取り付けられるノズルとして、図１１に示すものが知られている（例えば、特許文献１参照。）。
【０００３】
このノズル１は、図１１に示すように、水平部の抽出路と抽出口を一体に備えるとともにフード４とからなるものである。
【０００４】
その具体的には先端にポンプ部材が吸い上げた内容液Ｊを真下に向けて抽出させる抽出口３を備えている。また、抽出口３を取り囲み、下端開口が抽出口３よりも下方に位置するように真下に向く円筒状のフード４をノズル本体２と一体に形成してある。この真下に向く円筒状のフード４により、抽出口３から抽出される内容液Ｊが下方へ案内されて四方へ飛散しないようになっている。
【先行技術文献】
【特許文献】
【０００５】
【特許文献１】特開２００７−６１７２４号公報（図３）
【発明の概要】
【発明が解決しようとする課題】
【０００６】
前記従来のポンプ用ノズル１では、例えばジェル状内容液Ｊを使用した場合に、使用の間隔が一定時間あると、内容液Jがフード４の内部に付着して固まり易く、更には吐出口３の開口まで内容液Jが付着するに至り易いが、フード４が円筒状に形成されているため、フード４の内部の吐出口３の開口に付着した内容液Ｊの固まりを指等を差し込んで取り除くことが難しかった。
【０００７】
そこで、本発明は、前記した課題を解決すべくなされたものであり、フードの内部及び吐出口に付着した内容液の固まりを指等で簡単に取り除いて清掃することができ、内容液を常に真下に導いて吐出させることができるポンプ用ノズル及びノズル付き容器に関する。
【課題を解決するための手段】
【０００８】
本発明は、フードを一体に備えたポンプ用ノズルであって、ノズル本体の先端にポンプが吸い上げた内容液を吐出させる吐出口を備えると共に、吐出口は下方に向き、吐出口を取り囲み下端開口が吐出口よりも下方に位置するフードのポンプ側に切欠きを形成したポンプ用ノズルを提供する。
【０００９】
また、フードを一体に備えたポンプ用ノズルにおいて、ノズル本体の先端にポンプが吸い上げた内容液を真下に向けて吐出させる吐出口を備えると共に、該吐出口は下方に向き、該吐出口を取り囲み下端開口が該吐出口よりも下方に位置するように真下に向いた前記フードを備え、前記フードは、下端側が、ノズル本体側より開口面に向けて面積が吐出方向に向かって徐々に大きくなる形状であり、前記吐出口の下端を前記フードの上端から離れるように下方に延出したポンプ用ノズルを提供する。
【発明の効果】
【００１０】
本発明によれば、ノズル先に備えられた飛び散り防止用のフードの内部に、フードのポンプ側に形成された切欠きから指等を差し込むことができるため、フードの内部の吐出口に付着した内容液の固まりを指等で簡単に取り除いて清掃することができる。これにより、吐出口から吐出される内容液を飛散させることなく常に真下に導いて吐出させることができる。
【図面の簡単な説明】
【００１１】
【図１】本発明の一実施形態のポンプ用ノズルを示す断面図である。
【図２】上記ポンプ用ノズルの斜視図である。
【図３】上記ポンプ用ノズルの右側面図である。
【図４】上記ポンプ用ノズルの左側面図である。
【図５】上記ポンプ用ノズルの背面図である。
【図６】上記ポンプ用ノズルの正面図である。
【図７】上記ポンプ用ノズルの平面図である。
【図８】上記ポンプ用ノズルの底面図である。
【図９】上記ポンプ用ノズルを底面側から見た斜視図である。
【図１０】上記ポンプ用ノズルを備えたノズル付き容器の側面図である。
【図１１】従来のポンプ用ノズルの断面図である。
【発明を実施するための形態】
【００１２】
以下、本発明の一実施形態を図面に基づいて説明する。
【００１３】
図１は本発明の一実施形態のポンプ用ノズルを示す断面図、図２は同ポンプ用ノズルの斜視図、図３は同ポンプ用ノズルの右側面図、図４は同ポンプ用ノズルの左側面図、図５は同ポンプ用ノズルの背面図、図６は同ポンプ用ノズルの正面図、図７は同ポンプ用ノズルの平面図、図８は同ポンプ用ノズルの底面図、図９は同ポンプ用ノズルを底面側から見た斜視図、図１０は同ポンプ用ノズルを備えたノズル付き容器の側面図である。
【００１４】
図１０において、符号１０は、内容液Ｊを収納する容器本体１１の上端の好ましくは中央に口筒部１２を備えたノズル付き容器であり、符号２０は、容器本体１１の口筒部１２に取付キャップ２１を介して着脱自在に取り付けられる手動押下げ式のポンプであり、符号３０は、ポンプ２０の操作部としてのノズルヘッド２３に着脱自在に取り付けるポンプ用ノズルである。
【００１５】
ノズル付き容器１０の容器本体１１には、口筒部１２から取付キャップ２１を取り外した状態で、内容液Ｊとして、ジェル状手指消毒剤、シャンプー、リンス、ボディソープ、ハンドソープ、液状洗剤、液状洗濯仕上げ剤、化粧液等が収納される。
【００１６】
図１〜図１０に示すように、ポンプ用ノズル３０は、ノズル本体３１と、このノズル本体３１の先端３１ａに一体に形成されたフード３３とを備えている。これらノズル本体３１とフード３３は、透明又は半透明ポリプロピレン（ＰＰ）、又はポリエチレン（ＰＥ）により半透明に形成してあり、吐出されるまでの内容液Ｊが見られるようになっている。
【００１７】
図１及び図２に示すように、ノズル本体３１は内部が水平流路となる円筒状に形成してあり、その先端３１ａにおいて、屈曲して真下に向かい、ポンプ２０が吸い上げた内容液Ｊを真下に吐出させる吐出口３２を一体に形成してある。また、ノズル本体３１の基端３１ｂの内面には、ノズルヘッド２３の筒部２３ａに隙間なく嵌着される凹凸部３１ｃを形成してある。
【００１８】
吐出口３２は、円筒状のノズル本体３１の径よりも大径の円筒状に形成してある。具体的には、図１に示すように、ノズル本体３１の先端３１ａ側の内径Ｒ１は４．５３９ｍｍに、吐出口３２の内径Ｒ２は６．７ｍｍに、それぞれ設定してある。Ｒ１は３．５〜６ｍｍが好ましく、Ｒ２は３〜８ｍｍが好ましい。
【００１９】
また、吐出口３２の下端３２ａはフード３３の内面の上端（基端）３３ａからある程度離れるように下方に長く延出してある。この吐出口３２の下端３２ａの延出により、吐出口３２の下端開口３２ｂから吐出される内容液Ｊがフード３３の中央より下側に案内される。さらに、円筒状の吐出口３２の上端３２ｃの周囲には、該円筒状の吐出口３２を取り囲み、下端開口３３ｂが吐出口３２の下端開口３３ｂよりも下方に位置するように真下に向くフード３３を形成してある。吐出口３２の下端３２ａの延出は、２〜１０ｍｍ、好ましくは、４〜８ｍｍがより好ましい。
【００２０】
フード３３への液付着を防止する観点及びフード３３の大きさの適正化の観点から上記延出の長さであることが好ましい。
【００２１】
フード３３の後側（ポンプ２０側）には、図１と図２及び図５に示すように、切欠き３３ｃを形成する。切欠き３３ｃは、フード３３の高さ方向中間から形成され、切欠き３３ｃの周方向の幅は、下流開口に向けて徐々に大きくなっており、例えば逆Ｖ字状の切欠き３３ｃを形成してある。また、図５及び図６に示すように、フード３３の切欠き３３ｃに相対向する位置には、逆Ｕ字状の凹部３３ｄを形成してある。ここで、フード３３の切欠き３３ｃは、容器本体１１（ポンプ２０側）からフード３３を見た時を基準にして、フード３３の奥行方向と左右方向にフード３３があれば、内容液Ｊの飛び散りに対する安全が確保できる為好ましい切欠き３３ｃは、開口面積を大きく確保でき、ノズルの洗浄及び清掃が容易となる。切欠き３３ｃの大きさは、大人の指が入るくらいが好ましい。具体的には、図１に示すように、フード３３の下端開口３３ｂからノズル本体３１の先端３１ａまでの高さＨは、３０ｍｍに設定してある。また、フード３３の円弧錐状の曲率半径Ｒ３は、５６ｍｍに設定してある。さらに、フード３３の前後の下端間の長さＬ１は、１９．６ｍｍに設定してあると共に、フード３３の切欠き３３ｃの頂点から凹部３３ｄの頂点までの長さＬ２は、２１．８ｍｍに設定してある。さらに、図２に示すように、フード３３の切欠き３３ｃの下辺の幅Ｗは、２０．８ｍｍに設定してある。
【００２２】
ここで、Ｈは好ましくは２５〜５０ｍｍ、Ｌ１は好ましくは１５〜３０ｍｍ、Ｌ２は好ましくは１８〜３０ｍｍ、Ｗは好ましくは１５〜３０ｍｍである。
【００２３】
フード３３は、フード３３の下端側が、ノズル本体３１側より開口面に向けて面積が吐出方向に向かって徐々に大きくなる形状が良い。釣鐘型、ラッパ型、ベル型が好ましい。また、フード３３の切欠き３３ｃは、容器本体１１からフード３３を見た時を基準にして、フード３３の奥行方向と左右方向にフード３３があれば、内容液Ｊの飛び散りに対する安全が確保できる。切欠き３３ｃは、開口面積を大きく確保でき、ノズルの洗浄及び清掃が容易となる。切欠き３３ｃの大きさは、大人の指が入るくらいが好ましい。
【００２４】
ポンプ２０側の切欠き３３ｃは、吐出方向において、最も長いフード３３の下端から、吐出口３２の下端３２ａの距離の１／４〜３／４が切り取られている。吐出方向と水平な方向においては、フード３３の下端の周方向に対し、ポンプ２０側を基準にして、２０〜８０％、好ましくは３０〜７０％、より好ましくは３０〜５０％程度が切り取られている。
【００２５】
フード３３の下面から見た切欠き３３ｃは、フード３３の中心から図２に示すように、フード３３の切欠き３３ｃの下辺の幅の起点３３ｅ１、３３ｅ２と成す角度γが、３０°＜γ＜１７０°となるのが好ましい。
【００２６】
図１０に示すように、ポンプ２０は、ステム２２の上端にノズルヘッド２３を組み付けてある。このポンプ２０は、ステム２２の他に、シリンダー、ピストン、吸込み用のボール弁、吸込みパイプ（いずれも図示省略）等で構成され、ノズルヘッド２３を手動で押し下げるたびに、適量の内容液Ｊが吐出口３２から下方に吐出されるようになっている。
【００２７】
以上実施形態のポンプ用ノズル３０を備えた卓上型のノズル付き容器１０によれば、容器本体１１に例えば速乾性を得るためにエタノールを含有させた粘性の高いジェル状手指消毒剤の内容液Ｊを収納し、容器本体１１の口筒部１２にポンプ２０を取り付け、ポンプ２０のステム２２の上端に装着されたノズルヘッド２３の押下げ操作により内容液Ｊを吸い上げる。そして、吸い上げられた内容液Ｊは、ノズル本体３１の水平流路及び吐出口３２を通って、図１０に示すように、フード３３に案内されて真下に吐出される。ここで、好適な内容液Ｊとして、エタノール７０〜８０重量％、粘度2000〜5000ｍＰａ・ｓ（２５℃）である。
【００２８】
この際、フード３３が吐出口３２を取り囲み、下端開口３３ｂが吐出口３２の下端開口３２ｂよりも下方の離れた位置に真下に向くようにノズル本体３１の先端３１ａに形成されているため、吐出口３２から吐出した内容液Ｊが使用者側、即ちポンプ２０と反対側やノズル本体３１の水平流路に直交する両側方向へ飛散するのをフード３３により防止することができる。
【００２９】
また、ノズル本体３１とフード３３を透明又は半透明に形成したことにより、吸い上げられた内容液Ｊのノズル本体３１の水平流路から吐出口３２を通ってフード３３で案内されるまでの流通状態を見ることができる。
【００３０】
さらに、飛び散り防止用のフード３３の後側に逆Ｖ字形の切欠き３３ｃを形成したことにより、フード３３の内部に内容液Ｊが付着して内容液Ｊの固まりができても、フード３３の逆Ｖ字状の切欠き３３ｃからフード３３の内部に親指や人差し指を差し込むことができるため、フード３３の内部に付着した内容液Ｊの固まりを指で簡単かつ確実に取り除いて清掃することができる。これにより、吐出口３２から吐出される内容液Ｊの飛散を防止し、真下に導いて吐出させることができる。
【００３１】
上記理由で、清掃がし易いために、フード３３を外さずに清掃ができる為、フード３３を一体に備えることができる。
【００３２】
さらに、吐出口３２の下端３２ａをフード３３の上端３３ａから離れるように下方に延出したことにより、フード３３の内部に付着して蓄積した内容液Ｊの固まりが吐出口３２の下端開口３２ｂを塞いでも、フード３３の逆Ｖ字状の切欠き３３ｃからフード３３の内部に指を差し込んでフード３３の内部に付着した内容液Ｊの固まりを取り除く際に、吐出口３２の下端開口３２ｂを塞いだ内容液Ｊの固まりも指で一緒に簡単かつ確実に取り除いて清掃することができる。これにより、吐出口３２から吐出される内容液Ｊを常に真下に導いて吐出させることができる。
【００３３】
尚、前記実施形態によれば、ポンプ用ノズルのノズル本体とフードを半透明ポリプロピレンにより半透明に形成したが、フードのみ半透明に形成しても良く、また、ノズル本体とフードを透明に形成しても良い。さらに、樹脂はポリプロピレンに限らず、ポリスチレン、ポリエチレンテレフタレート、ポリ塩化ビニル等の樹脂で形成しても良い。
【００３４】
尚、ノズル本体の先端にポンプが吸い上げた内容液を真下に向けて吐出させる吐出口を備えると共に、該吐出口は下方に向き、該吐出口を取り囲み下端開口が該吐出口よりも下方に位置するように真下に向いた前記フードを備え、前記フードは、下端側が、ノズル本体側より開口面に向けて面積が吐出方向に向かって徐々に大きくなる形状であり、前記吐出口の下端を前記フードの上端から離れるように下方に延出したポンプ用ノズルにおいても、内容液がフードに付着することなく、吐出口が内容液の固化を防止できるフードを備えたポンプ用ノズルを得ることができる。
【符号の説明】
【００３５】
１０  ノズル付き容器
１１  容器本体
１２  口筒部
２０  ポンプ
３０  ポンプ用ノズル
３１  ノズル本体
３１ａ  先端
３２  吐出口
３２ａ  下端
３３  フード
３３ａ  上端
３３ｂ  下端開口
３３ｃ  切欠き
Ｊ  内容液
【図１】
2015081130.tif 000003
【図２】
2015081130.tif 000004
【図３】
2015081130.tif 000005
【図４】
2015081130.tif 000006
【図５】
2015081130.tif 000007
【図６】
2015081130.tif 000008
【図７】
2015081130.tif 000009
【図８】
2015081130.tif 000010
【図９】
2015081130.tif 000011
【図１０】
2015081130.tif 000012
【図１１】
2015081130.tif 000013